(57)【特許請求の範囲】
【請求項１】
終了した競技に対して投票された第１の投票内容を取得する第１の投票内容取得部と、
取得された前記第１の投票内容が的中した投票内容であるか否かを判別する的中判別部と、
前記第１の投票内容が的中している場合に払戻の指示を出力する払戻部と、
取得された前記第１の投票内容に応じた記念投票券を作成するための、前記第１の投票内容を保持する投票券に設けられた要求記載欄のマークで示される作成要求を取得する作成要求取得部と、
前記的中判別部により前記第１の投票内容が的中した投票内容であると判別され、かつ前記作成要求取得部が前記作成要求を取得した場合に、前記第１の投票内容に基づき記念投票券を作成する指示を出力する記念券作成指示部と、
を有することを特徴とする投票端末装置。
【請求項２】
前記記念投票券の作成を許可する許可情報を取得する許可情報取得部、
をさらに有し、
前記記念券作成指示部は、
前記的中判別部により前記第１の投票内容が的中した投票内容であると判別され、かつ前記作成要求取得部が前記作成要求を取得した場合であって、前記許可情報取得部により前記許可情報が取得された場合に、前記第１の投票内容に基づき記念投票券を作成する指示を出力することを特徴とする請求項１に記載の投票端末装置。
【請求項３】
実施前の競技に対して投票を希望する第２の投票内容を取得する第２の投票内容取得部と、
取得された前記第２の投票内容に基づき投票を実行する投票実行部と、
をさらに有することを特徴とする請求項２に記載の投票端末装置。
【請求項４】
前記第２の投票内容が記録された投票カードを読み取る投票カード読取部と、
取得された前記第２の投票内容に基づき投票券を発券する発券部と、
前記第１の投票内容が記録された投票券を読取る投票券読取部と、
をさらに有し、
前記第２の投票内容取得部は、
前記投票カード読取部が読み取った第２の投票内容を取得し、
前記第１の投票内容取得部は、
前記投票券読取部が読取った前記第１の投票内容を取得し、
前記許可情報取得部は、
前記投票券読取部が前記第１の投票内容を読み取ったことを前記許可情報として取得することを特徴とする請求項３に記載の投票端末装置。
【請求項５】
前記投票券に記録された前記記念投票券の作成要求を読み取る要求読取部、
をさらに有し、
前記発券部は、
前記作成要求を記載する前記要求記載欄を含む前記投票券を発券し、
前記作成要求取得部は、
前記要求読取部が読み取った前記作成要求を取得することを特徴とする請求項４に記載の投票端末装置。
【請求項６】
前記許可情報を入力する許可情報入力部と、
前記許可情報と対応付けて前記第１の投票内容の投票が実行されたか否かを判別する投票判別部と、
要求判別部と、
をさらに有し、
前記許可情報取得部は、
前記許可情報入力部により入力された前記許可情報を取得し、
前記要求判別部は、
前記投票判別部が、前記許可情報と対応付けて前記第１の投票内容の投票が実行されたと判別した場合に前記記念投票券を作成する指示を出力させると判別することを特徴とする請求項２または請求項３に記載の投票端末装置。
【請求項７】
前記作成要求を入力する要求入力部、
をさらに有し、
前記作成要求取得部は、
前記要求入力部により入力された前記作成要求を取得することを特徴とする請求項１から請求項６のいずれか一項に記載の投票端末装置。
【請求項８】
終了した競技に対して投票された投票内容を取得する投票内容取得工程と、
取得された前記投票内容が的中した投票内容であるか否かを判別する的中判別工程と、
前記投票内容が的中している場合に払戻の指示を出力する払戻工程と、
取得された前記投票内容に応じた記念投票券を作成するための、前記投票内容を保持する投票券に設けられた要求記載欄のマークで示される作成要求を取得する作成要求取得工程と、
前記的中判別工程により前記投票内容が的中した投票内容であると判別され、かつ前記作成要求取得工程が前記作成要求を取得した場合に、前記投票内容に基づき記念投票券を作成する指示を出力する記念券作成指示工程と、
を有することを特徴とする記念投票券作成方法。
【請求項９】
終了した競技に対して投票された投票内容を取得する投票内容取得処理と、
取得された前記投票内容が的中した投票内容であるか否かを判別する的中判別処理と、
前記投票内容が的中している場合に払戻の指示を出力する払戻処理と、
取得された前記投票内容に応じた記念投票券を作成するための、前記投票内容を保持する投票券に設けられた要求記載欄のマークで示される作成要求を取得する作成要求取得処理と、
前記的中判別処理により前記投票内容が的中した投票内容であると判別され、かつ前記作成要求取得処理が前記作成要求を取得した場合に、前記投票内容に基づき記念投票券を作成する指示を出力する記念券作成指示処理と、
をコンピュータに実行させるためのプログラム。
【発明の詳細な説明】
【技術分野】
【０００１】
本発明は、投票端末装置、記念投票券作成方法およびプログラムに関する。
【背景技術】
【０００２】
競馬等の投票方法として、投票券発券装置を用いる方法がある。投票券発券装置を用いる際には、投票する情報をマークカードに記入し、投票券発券装置でマークカードを読み取ることにより投票を行なうことができる。このような投票券発券装置の中には、的中券を読取り、払い戻す機能を有するものもある。そのような投票券発券装置では、払戻金を用いて新たに投票券を購入できる場合もある（例えば、特許文献１参照）。
【０００３】
払戻の際には、投票券のレイアウト変更にも容易に対処するため、多数の相互払戻場の見本券の管理が容易にできるように、照合用見本券を配信するシステムもある（例えば、特許文献２参照）。また、投票券購入の締め切り間際の混雑防止のため、購入した時間帯に応じたポイントを付与するようにした投票券発売装置の例も提案されている（例えば、特許文献３参照）。
【先行技術文献】
【特許文献】
【０００４】
【特許文献１】特開２００５−３３８８９０号公報
【特許文献２】特開２００４−３３４４０６号公報
【特許文献３】特開２００２−２５９６１５号公報
【発明の概要】
【発明が解決しようとする課題】
【０００５】
上記のような投票券発売装置では、的中した投票券を払い戻す際には、投票券は回収される。しかしながら、重賞レースでの的中、高額配当の的中、応援していた騎手や選手、馬などでの的中など様々な理由から、記念に投票券を手元に残しておきたいという利用者の要求があるため、有料でコピーサービスを実施している場合がある。
【０００６】
しかしこのようなコピーサービスは、実際の投票券の券面をコピーするもので、コピーされた券は実際の投票券とは異なる用紙を使用しており、外観が異なったものとなっている。また、限られたレース場や限られたカウンタでしか、サービスを実施していないため、メインレース、最終レース終了後には混雑することがあるとともに、一度に大量にコピーすることもできない。さらに、在席端末からの投票やオンラインでの投票の場合には、投票券が存在しないため、コピーサービスを利用することはできない。
【０００７】
そこで本発明は、投票券を利用しない投票方法でも、的中券の代わりに手元に保存しておくための記念投票券を手軽に迅速に作成可能な投票端末装置、記念投票券作成方法およびプログラムを提供することを目的とする。
【課題を解決するための手段】
【０００８】
本発明に係る投票端末装置は、終了した競技に対して投票された第１の投票内容を取得する第１の投票内容取得部と、取得された前記第１の投票内容が的中した投票内容であるか否かを判別する的中判別部と、前記第１の投票内容が的中している場合に払戻の指示を出力する払戻部と、取得された前記第１の投票内容に応じた記念投票券を作成するための作成要求を取得する作成要求取得部と、前記的中判別部により前記第１の投票内容が的中した投票内容であると判別され、かつ前記作成要求取得部が前記作成要求を取得した場合に、前記第１の投票内容に基づき記念投票券を作成する指示を出力する記念券作成指示部と、を有することを特徴としている。
【０００９】
本発明に係る記念投票券作成方法は、終了した競技に対して投票された投票内容を取得する投票内容取得工程と、取得された前記投票内容が的中した投票内容であるか否かを判別する的中判別工程と、前記投票内容が的中している場合に払戻の指示を出力する払戻工程と、取得された前記投票内容に応じた記念投票券を作成するための作成要求を取得する作成要求取得工程と、前記的中判別部により前記投票内容が的中した投票内容であると判別され、かつ前記作成要求取得部が前記作成要求を取得した場合に、前記投票内容に基づき記念投票券を作成する指示を出力する記念券作成指示工程と、を有することを特徴としている。
【００１０】
なお、上述した本発明に係る方法をコンピュータに行わせるためのプログラムであっても、このプログラムを当該コンピュータによって実行させることにより、上述した本発明に係る方法と同様の作用・効果を奏するので、前述した課題が解決される。
【発明の効果】
【００１１】
本発明による投票端末装置、記念投票券作成方法およびプログラムによれば、記念投票券を手軽かつ迅速に作成することが可能となる。
【図面の簡単な説明】
【００１２】
【図１】第１の実施の形態による投票システムの構成の概要を示す図である。
【図２】第１の実施の形態による投票券発売装置の構成を示すブロック図である。
【図３】第１の実施の形態による投票券発売装置により発券される投票券の一例を示す図である。
【図４】第１の実施の形態による記念投票券発券処理の動作を示すフローチャートである。
【図５】第２の実施の形態による記念投票券発券処理の動作を示すフローチャートである。
【図６】第３の実施の形態による在席端末装置の構成を示すブロック図である。
【図７】第３の実施の形態による記念投票券発券処理の動作を示すフローチャートである。
【発明を実施するための形態】
【００１３】
（第１の実施の形態）
以下、図面を参照しながら、的中券の代わりに保存しておく記念投票券の作成が可能な投票システムについて説明する。図１は、投票システム１の構成の概要を示す図である。第１の実施の形態による投票システム１は、管理装置３、開催場５−１、５−２（まとめて開催場５ともいう）、場外投票券発売場１１、電話１３、インターネット投票装置１５等が、インターネットなどのネットワーク１０を介して接続されている。開催場５には、投票券発売装置７、在席端末装置９が備えられている。
【００１４】
管理装置３は、投票券発売装置７、在席端末装置９等とネットワーク１０を介して通信することにより、投票数や倍率など投票に関する情報や払戻に関する情報を収集し管理するとともに、投票券発売装置７、在席端末装置９等に投票券の発券や払戻等の指示を与える。管理装置３は、演算処理を行う演算処理装置、プログラムやデータなどを記憶する記憶部、外部との通信を行う通信部（いずれも図示せず）などを有する情報処理装置である。
【００１５】
開催場５は、競技を開催する場所である。場外投票券発売場１１は、競技の開催場以外の場所に設けられた投票券の発売および払戻を行う場所である。場外投票券発売場１１には、開催場５と同様に、投票券発売装置７、在席端末装置９（共に図示せず）が備えられる。電話１３は、利用客が自宅などから電話を用いて投票を行う手段を示している。インターネット投票装置１５は、利用客が、開催場５や場外投票券発売場１１以外の自宅などからネットワーク１０に接続可能なコンピュータ等の端末装置を用いて投票券を購入する手段を示している。ネットワーク１０は、例えばインターネット等の通信網である。
【００１６】
第１の実施の形態においては、記念投票券の作成要求から発券までを投票券発売装置７により行う。図２は、投票券発売装置７の構成を示すブロック図である。図２に示すように、投票券発売装置７は、制御部２３により動作を制御されて、開催場５で行われる競技に対する投票や、投票に対する払戻を行うための装置である。制御部２３は、ＣＰＵ（Ｃｅｎｔｒａｌ  Ｐｒｏｃｅｓｓｉｎｇ  Ｕｎｉｔ）２５、ＲＡＭ（Ｒａｎｄｏｍ  Ａｃｃｅｓｓ  Ｍｅｍｏｒｙ）２７、ＲＯＭ（Ｒｅａｄ  Ｏｎｌｙ  Ｍｅｍｏｒｙ）２９、通信処理装置３１、画像処理装置３３、入出力装置３５を有している。
【００１７】
投票券発売装置７は、さらに、ディスプレイ３７、管理者側ディスプレイ３９、タッチパネル４１、管理者側タッチパネル４３、投票カード読取部４５、投票カード回収部４７、投票券発券部４９、投票券読取部５１、投票券回収部５３、電源部５５、紙幣還流部５７、硬貨還流部５９を有している。ディスプレイ３７、管理者側ディスプレイ３９は画像処理部３３に接続されている。タッチパネル４１、管理者側タッチパネル４３、投票カード読取部４５、投票カード回収部４７、投票券発券部４９、投票券読取部５１、投票券回収部５３、電源部５５、紙幣還流部５７、硬貨還流部５９は、入出力装置３５に接続されている。入出力装置３５には、可搬型記録媒体６３が着脱可能に備えられていてもよい。
【００１８】
制御部２３のＣＰＵ２５は、ＲＯＭ２９に予め格納された投票券発売装置７を動作させるプログラムを読み込み実行する演算装置である。ＲＡＭ２７は、必要に応じて作業記憶領域として利用可能な随時書き込み読み出し可能な記憶装置である。ＲＯＭ２９は、投票券発売装置７を動作させるプログラム等が予め格納されている、読出し専用の記憶装置である。
【００１９】
通信処理装置３１は、投票券発売装置７外部との間の通信を行うためのデータ変換や送受信を行う装置である。画像処理部３３は、ディスプレイ３７、管理者ディスプレイ３９の表示動作を制御する。画像処理部３３は、例えばＲＯＭ２９に格納されたプログラムをＣＰＵ２５が読み込んで実行することにより実現される機能である。入出力装置３５は、ＣＰＵ２５と、タッチパネル４１、管理者側タッチパネル４３、投票カード読取部４５、投票カード回収部４７、投票券発券部４９、投票券読取部５１、投票券回収部５３、電源部５５、紙幣還流部５７、硬貨還流部５９、および可搬型記録媒体６３との間のインタフェース装置である。
【００２０】
ディスプレイ３７は、投票券発売装置７の利用者に対する表示を行う表示装置である。管理者ディスプレイ３９は、例えばバックヤード等に設けられ、投票券発売装置７に関する情報を管理者に対して表示するための表示装置である。タッチパネル４１は、例えばディスプレイ３７に設けられ、投票券発売装置７の利用者が触れることにより情報を入力するための入力装置である。管理者側タッチパネル４３は、例えば管理者ディスプレイ３９に設けられ、投票券発売装置７の管理者が触れることにより情報を入力するための入力装置である。投票カード読取部４５は、利用者が投票を希望する情報を記入した投票カードが挿入されると、記入された情報を読み取る装置である。投票カード回収部４７は、投票カード読取部４５に挿入され、情報を読み取った投票カードを回収する装置である。
【００２１】
投票券発券部４９は、投票カード読取部４５から読み取った投票内容を記録した投票券７０を発券する装置である。また、記念投票券を作成する機能を有する。投票券読取部５１は、挿入された投票券７０に記録された投票内容を読み取る装置である。投票券回収部５３は、投票券読取部５１に挿入され、投票内容を読み取った投票券７０であって、既に競技が終了している投票券７０を回収する装置である。
【００２２】
電源部５５は、投票券発売装置７に電力を供給する電源である。紙幣還流部５７は、投票券７０の購入や払戻のための紙幣を収納または排出するために随時移動させる移動装置である。硬貨還流部５９は、投票券７０の購入や払戻のための硬貨を収納または排出するために随時移動させる移動装置である。可搬型記録媒体６３は、例えばジャーナル用紙、可搬型の半導体メモリカード等であり、投票券発売装置７における投票券発券処理、金銭授受処理、通信処理などの記録を印刷またはデータとして抽出するための媒体である。
【００２３】
図３は、投票券発売装置７により発券される投票券７０の一例を示す図である。図３に示すように、投票券発売装置７によれば、利用者が投票を希望する投票内容を記録した投票カードを、投票カード読み取り部４５に挿入すると、投票券発売装置７は、読み取った投票内容に応じた投票券７０を発券する。投票券７０は、レース場名７２、レース番号７４、式別７８、投票番号８０、投票金額８２が記載されるとともに、例えば磁気記録された券である。また、第１の実施の形態においては、投票券７０に、記念投票券の作成を希望する作成要求を記載するマーク欄７６を設ける。利用者は、投票券７０による投票が的中した場合に、マーク欄７６にマークすることにより、記念投票券の作成を投票券発売装置７に要求することができる。
【００２４】
以上のように構成された投票券発売装置７による記念投票券作成処理について、図４のフローチャートを参照しながら説明する。図４は、第１の実施の形態による記念投票券発券処理動作を示すフローチャートである。なお、第１の実施の形態においては、記念投票券は、投票券７０と同一のものを複製（以下、コピーという）する場合について説明する。投票券発売装置７は、例えばＲＯＭ２９に格納されたプログラムをＣＰＵ２５が読み込み実行することにより、動作が可能な状態となっているものとする。
【００２５】
投票券読取部５１に例えば投票券７０が挿入されると（Ｓ１０１）、ＣＰＵ２５は、投票券読取部５１を介して投票券７０に記録された投票内容に関する情報を取得する（Ｓ１０２）。このとき、ＣＰＵ２５は、マーク欄７６にマークがあるか否かを読み取る。投票内容に関する情報とは、レース場名７２、レース番号７４、式別７８、投票番号８０、投票金額８２等である。ＣＰＵ２５は、取得した投票内容に関する情報に基づき、払戻の要求と、マーク欄７６にマークがある時には投票券７０のコピーの要求とを、通信処理装置３１によりネットワーク１０を介して管理装置３に送信する（Ｓ１０３）。
【００２６】
管理装置３は、投票券発売装置７からの払戻および投票券７０のコピーの要求を受け付ける（Ｓ１０４）。管理装置３は、投票券発売装置７が読み取った投票券７０に関して、投入金額の合計など、投票内容の集計を行う（Ｓ１０５）。管理装置３は、投票券７０の投票内容に的中しているものがあるか否かを判別し（Ｓ１０６）、的中している場合には（Ｓ１０６：ＹＥＳ）、払戻許可の指示とともに払戻金額の情報を送信し（Ｓ１０７）、的中していない場合には（Ｓ１０６：ＮＯ）、払戻不許可（Ｓ１０８）の指示を投票券発売装置７に戻す。
【００２７】
管理装置３は、投票券７０のマーク欄７６にマークがあると投票券発売装置７で検出され、コピー要求が行なわれている場合には（Ｓ１０９：ＹＥＳ）、コピー指示を行ない、同時に、払戻金額からコピーのサービス料を差し引く指示を与える（Ｓ１１０）。管理装置３は、投票券７０のマーク欄７６にマークがなく投票券発売装置７からコピー要求がない場合には（Ｓ１０９：ＮＯ）、コピーをしない指示を投票券発売装置７に返す（Ｓ１１１）。
【００２８】
一方、投票券発売装置７では、ＣＰＵ２５が管理装置３から払戻許可の指示があったか否かを判別し（Ｓ１１２）、許可されない場合には（Ｓ１１２：ＮＯ）、投票券回収部５３に投票券７０を回収させる（Ｓ１１３）。払戻が許可された場合には（Ｓ１１２：ＹＥＳ）、払戻処理を行う（Ｓ１１４）。すなわち、ＣＰＵ２５は、管理装置３からの払戻金額の情報に基づき、紙幣還流部５７、硬貨還流部５９に払戻に必要な金額が出金可能なように用意させる。
【００２９】
投票券発売装置７のＣＰＵ２５は、管理装置３からコピーの指示があったか否かを判別し（Ｓ１１５）、コピーの指示がない場合には（Ｓ１１５：ＮＯ）、払戻金を放出し（Ｓ１１６）処理を終了する。管理装置３からのコピーの指示があった場合には（Ｓ１１５：ＹＥＳ）、ＣＰＵ２５は、投票券発券部４９に、的中した投票券７０のコピーを作成させる（Ｓ１１７）。コピーの作成は、投票券７０から読み取った情報を、そのまま記載した記念投票券を、投票券発券部４９により作成させることにより行なうことができる。
【００３０】
管理装置３がＳ１１０でコピー指示を行う際に、投票内容に加えて、例えば的中した投票の倍率や払戻金額等、付加的な情報を含む印刷内容を投票券発売装置７に送信するようにしてもよい。この場合、投票券発売装置７ではＣＰＵ２５が、送信された情報に基づいて投票券発券部４９に、付加的な情報を含む投票券７０を発券させる。投票券発売装置７は、不図示の排出部から、払戻金、およびコピーを希望した場合には記念投票券を排出し（Ｓ１１８）、処理を終了する。
【００３１】
以上説明したように、第１の実施の形態による投票システム１において、投票券発売装置７は、利用者が、希望する投票内容を例えば所定のマーク欄にマークを行うことにより記載した投票カードを投票カード読取部４５に挿入すると、希望する投票内容を読み取る。投票券発売装置７は、投票内容を管理装置３に送信して投票を行うとともに、希望する投票内容を記録した投票券７０を投票券発券部４９により発券する。このとき、投票が的中した場合に投票券７０のコピーを希望することを記入するマーク欄７６をあわせて印刷する。
【００３２】
投票券発売装置７は、利用者が投票券読取部５１に挿入した投票券７０を読み取り、読み取った投票内容を管理装置３に送信する。管理装置３は、受信した投票内容が的中しているか否かを判別する。的中している場合には、管理装置３は、払戻金額に関する情報を投票券発売装置７に通知する。
【００３３】
また、管理装置３は、投票券発売装置７で読み取られたマーク欄７６にマークがあったか否かを判別し、マークがあった場合にはコピー指示とともに、払戻金からサービス料を差し引く指示を、なかった場合にはコピーをしない指示を投票券発売装置７に通知する。
【００３４】
投票券発売装置７では、読み取った投票内容が的中しているという通知を受け取ると、払戻を行ない、的中していない場合には投票券７０を回収する。管理装置３からコピー指示があった場合には、投票券発売装置７は、的中した投票券７０をコピーして、記念投票券として利用者へ放出する。このとき、管理装置３により的中券であると通知されない場合には、記念投票券の作成を行わない。
【００３５】
以上のように、投票システム１によれば、投票券発売装置７は、投票を希望する投票内容を記載した投票カードを挿入されると、管理装置３に投票内容を通知することにより希望の投票を行なう。また、投票券発売装置７は、希望する投票内容を記録するとともに、記念投票券の発券要求を記載する欄を設けた投票券７０を発券することができる。投票券７０に記念投票券発券の要求を記載し、投票券発売装置７に挿入すると、管理装置３で的中券か否かを確認し、的中券の場合には、記念投票券の発券要求に基づき、発券を行なわせることができる。
【００３６】
よって、競技への投票、的中券の払戻、記念投票券の発券をひとつの投票券発売装置７で行なうことができ、混雑時にもスムーズに対応できるとともに、「投票券コピーサービス」のカウンタ等へ行かなくとも、記念投票券を手軽に迅速に作成可能である。よって、コピーサービスのための人手が不要となる。また、投票券７０が、払戻前の的中した投票券７０であると確認できた場合にのみ記念投票券を発券するので、記念投票券の価値を高めることができる。
【００３７】
なお、記念投票券を発券する際に、例えばディスプレイ３７に、作成する記念投票券の枚数をたずねる表示を行い、例えばタッチパネル４１により枚数を入力するようにすることにより、一度に複数の記念投票券を発券させることも可能である。記念投票券発券の希望は、上記のようなマーク欄７６に限定されず、他の印刷形態や、例えば所定の位置に切込みを入れるなど、他の方法によるようにしてもよい。また、投票券発売装置７に代えて、投票券読取部５１と投票券発券部４９のみを搭載した、複製サービス専用装置などの応用機の需要にも対応可能である。
【００３８】
記念投票券は、投票券７０から読み取った情報をそのまま記載した投票券７０を発券するものとしたが、この場合には、不正利用を阻止するため、用紙は実際の投票券７０と異なるものとすることが好ましい。また、実際の投票券７０と同じ用紙を利用するため、払戻時に必要な情報のいずれかを省略、変更または追加するようにしてもよい。追加する情報としては、管理装置３の図示せぬ記憶部に格納された、例えば、的中番号、倍率、的中金額、騎手名や選手名、馬名、タイムなどが考えられる。記念投票券の作成は、的中した投票券７０から投票内容をデータとして読取ることにより印刷する方法に限定されず、光学的に画像として読み取ってコピーを行う方法でもよい。
【００３９】
（第２の実施の形態）
以下、第２の実施の形態による記念投票券発券処理について説明する。第２の実施の形態による記念投票券発券処理において、第１の実施の形態と同様の構成および動作については重複説明を省略する。第２の実施の形態による投票券発券処理においては、投票券７０に記念投票券発券希望を記載する欄が不要である。第２の実施の形態による記念投票券発券処理は、第１の実施の形態による投票システム１と同様の構成のシステムにより実行可能であるため、構成に関する説明は省略し、図５を参照しながら動作について説明する。
【００４０】
図５は、第２の実施の形態による記念投票券発券処理の動作を示すフローチャートである。図５に示すように、投票券読取部５１に例えば投票券７０が挿入されると（Ｓ１５０）、ＣＰＵ２５は、投票券読取部５１を介して投票券７０に記録された投票内容に関する情報を取得する（Ｓ１５１）。投票内容に関する情報とは、レース場名７２、レース番号７４、式別７８、投票番号８０、投票金額８２等である。ＣＰＵ２５は、取得した投票内容に関する情報に基づき、払戻の要求を通信処理装置３１によりネットワーク１０を介して管理装置３に送信する（Ｓ１５１）。
【００４１】
管理装置３は、投票券発売装置７からの払戻の要求を受け付ける（Ｓ１５３）。管理装置３は、投票券発売装置７が読み取った投票券７０に関して、投票内容の集計を行う（Ｓ１５４）。管理装置３は、投票券７０の投票内容に的中しているものがあるか否かを判別し、的中している場合には、払戻許可の指示とともに払戻金額の情報を投票券発売装置７に送信する（Ｓ１５５）。
【００４２】
投票券発売装置７では、ＣＰＵ２５が管理装置３から払戻が許可された場合には、払戻処理を行う（Ｓ１５６）。すなわち、ＣＰＵ２５は、管理装置３からの払戻金額の情報に基づき、紙幣還流部５７、硬貨還流部５９に払戻に必要な金額が出金可能なように用意させる。
【００４３】
続いて投票券発売装置７のＣＰＵ２５は、例えばディスプレイ３７に、記念投票券作成選択のための画面を表示する（Ｓ１５７）。ＣＰＵ２５は、例えば、タッチパネル４１により、一定時間以上記念投票券作成を希望することを示す入力がない場合、または希望しないことを示す入力があった場合には（Ｓ１５８：ＮＯ）、図示せぬ排出口から払戻金を放出し（Ｓ１５９）、処理を終了する。
【００４４】
ＣＰＵ２５は、例えば、タッチパネル４１により、記念投票券作成を希望することを示す入力があった場合には（Ｓ１５８：ＹＥＳ）、投票券発券部４９は、記念投票券を作成し（Ｓ１６０）、図示せぬ排出口から払戻金および記念投票券を放出し（Ｓ１６１）、処理を終了する。
【００４５】
以上説明したように、第２の実施の形態による投票システムにおいて、投票券発売装置７は、利用者が投票券読取部５１に挿入した投票券７０を読み取り、読み取った投票内容を管理装置３に送信する。管理装置３は、受信した投票内容が的中しているか否かを判別する。的中している場合には、管理装置３は、払戻金額に関する情報を投票券発売装置７に通知する。
【００４６】
投票券発売装置７では、投票券７０が的中している場合には、記念投票券を作成する要求を行うか否かを利用者が選択することができる。記念投票券の作成を要求することが選択された場合には、投票券発売装置７は、記念投票券を印刷し、利用者へ放出する。このとき、管理装置３により的中券であると通知されない場合には、投票券発売装置７は、記念投票券の作成を行わない。記念投票券の作成にサービス料をとる場合には、投票券発売装置７は、作成要求があったことを管理装置３に連絡し、管理装置３からサービス料を差し引いた払戻金額の通知を受けて払い戻すようにする。
【００４７】
以上のように、第２の実施の形態による投票システムによれば、投票券７０が払戻前の的中した投票券７０であることが確認できると、記念投票券の発券を要求するか否か選択することができる。記念投票券の発券が要求されたことが判別されると、記念投票券の発券を行なわせることができる。記念投票券発券の際には、マーク欄７６を投票券７０に印刷することや、マーク欄７６にマークをすることを省略することができる。
【００４８】
なお、記念投票券を発券する際に、例えばディスプレイ３７に、作成する記念投票券の枚数をたずねる表示を行い、例えばタッチパネル４１により枚数を入力するようにすることにより、一度に複数の記念投票券を発券させることも可能である。
【００４９】
記念投票券は、既存の投票券７０のコピーを作成するものとしたが、この場合には、不正利用を阻止するため、用紙は実際の投票券７０と異なるものとすることができる。また、実際の投票券７０と同じ用紙を利用するため、払戻時に必要な情報を省略したり、新たな情報を加えたりするようにしてもよい。
【００５０】
（第３の実施の形態）
次に、第３の実施の形態による投票システムについて説明する。第３の実施の形態による記念投票券発券は、在席端末装置９により指示を行う。在席端末装置９は、会員カードを保有している利用者に対して、投票、払戻等のサービスを提供する装置である。図６は、在席端末装置９の構成を示すブロック図である。図６に示すように、在席端末装置９は、制御部１７２により動作を制御されて、開催場５で行われる競技に対する投票や、投票に対する払戻を行うための装置である。制御部１７２は、ＣＰＵ１７４、ＲＡＭ１７６、ＲＯＭ１７８、通信処理装置１８０、画像処理装置１８２、入出力装置１８４を有している。
【００５１】
在席端末装置９は、さらに、ディスプレイ１８６、タッチパネル１８８、会員カード読取部１９０、電源部１９２を有している。ディスプレイ１８６は、画像処理部１８２に接続されている。タッチパネル１８８、会員カード読取部１９０、電源部１９２は、入出力装置１８４に接続されている。
【００５２】
制御部１７２のＣＰＵ１７４は、ＲＯＭ１７８に予め格納された在席端末装置９を動作させるプログラムを読み込み実行する演算装置である。ＲＡＭ１７６は、必要に応じて作業記憶領域として利用可能な随時書き込み読み出し可能な記憶装置である。ＲＯＭ１７８は、在席端末装置９を動作させるプログラム等が予め格納されている、読出し専用の記憶装置である。
【００５３】
通信処理装置１８０は、在席端末装置９外部との間の通信のためのデータ変換や送受信を行う装置である。画像処理部１８２は、ディスプレイ１８６の表示動作を制御する。画像処理部１８２は、例えばＲＯＭ１７８に格納されたプログラムをＣＰＵ１７４が読み込んで実行することにより実現される機能である。入出力装置１８４は、ＣＰＵ１７４と、タッチパネル１８８、会員カード読取部１９０、電源部１９２との間のインタフェース装置である。
【００５４】
ディスプレイ１８６は、在席端末装置９の利用者に対する表示を行う表示装置である。タッチパネル１８８は、例えばディスプレイ１８６に備えられ、在席端末装置９の利用者が触れることにより情報を入力するための入力装置である。会員カード読取部１９０は、利用者が在席端末装置９を使うための登録を行っていることを示す会員カードを読み取る。電源部１９２は、在席端末装置９に電力を供給する電源である。
【００５５】
以上のように構成される在席端末装置９において、投票を行なう場合には、例えばＲＯＭ１７８に格納されたプログラムをＣＰＵ１７４が読み込み実行することにより、動作が可能な状態としておき、会員カード読取部１９０に会員カードを読み取らせる。ＣＰＵ１７４は、読み取られた会員カードの情報により、在席端末装置９を利用する資格があると判別すると、ディスプレイ１８６に投票用の画面を表示させる。ＣＰＵ１７４は、例えばタッチパネル１８８により選択または入力された投票内容を、ネットワーク１０を介して管理装置３に送信することにより投票を行う。このように、在席端末装置９からの投票の場合には、通常、投票券７０は発行しない。
【００５６】
次に、在席端末装置９により記念投票券を発券する処理について説明する。図７は、第３の実施の形態による記念投票券発券処理の動作を示すフローチャートである。図７に示すように、第３の実施の形態における記念投票券の発券は、在席端末装置９、管理装置３、および投票券発売装置７により行われる。なお、在席端末装置９は、このとき、既に会員カード読取部１９０により利用客の会員カードが読み取られ、タッチパネル１８８等を介して入力された投票内容を管理装置３に送信することにより投票が行われた状態であるとする。
【００５７】
在席端末装置９において入力された投票内容が的中すると（Ｓ２００）、在席端末装置９のＣＰＵ１７４は、管理装置３と通信を行う。管理装置３の図示せぬ制御部は、図示せぬ記憶部から的中情報を検索して在席端末装置９に通知し（Ｓ２０１）、在席端末装置９のＣＰＵ１７４は、的中情報を取得する（Ｓ２０２）。的中情報とは、的中した投票内容であり、例えば、レース場名、レース番号、式別、投票番号、投票金額等を含む情報である。ＣＰＵ１７４は、取得した投票内容に関する情報に基づき、払戻の要求を通信処理装置３１によりネットワーク１０を介して管理装置３に送信する（Ｓ２０３）。
【００５８】
管理装置３は、在席端末装置９からの払戻の要求を受け付ける（Ｓ２０４）。管理装置３は、在席端末装置９が行った投票内容のうちの的中した投票の集計を行う（Ｓ２０５）。管理装置３は、投票の集計結果に基づき払戻の指示、および払戻金額の情報を在席端末装置９に送信する（Ｓ２０６）。
【００５９】
在席端末装置９では、ＣＰＵ１７４が管理装置３からの指示に基づき、払戻処理を行う（Ｓ２０６）。すなわち、ＣＰＵ１７４は、管理装置３からの払戻金額の情報に基づき、例えば会員カードへのポイント付与という形での払戻処理の準備を行う。
【００６０】
在席端末装置９のＣＰＵ１７４は、例えばディスプレイ１８６に、記念投票券作成選択のための画面を表示する（Ｓ２０７）。ＣＰＵ１７４は、例えば、タッチパネル１８８により、一定時間以上記念投票券作成を希望することを示す入力がない場合、または作成を希望しないことを示す入力があった場合には（Ｓ２０８：ＮＯ）、例えば会員カードへの払戻データの付与を行い（Ｓ２０９）、処理を終了する。
【００６１】
ＣＰＵ１７４は、例えば、タッチパネル１８８により、記念投票券作成を希望することを示す入力があった場合には（Ｓ２０８：ＹＥＳ）、投票券発売装置７に記念投票券作成を要求する（Ｓ２１０）。投票券発売装置７は、在席端末装置９からの記念投票券作成要求を受付ける（Ｓ２１１）。このとき、在席端末装置９は、作成を要求する記念投票券に関する投票内容を、要求とともに送信することが好ましい。投票券発売装置７においてＣＰＵ２５は、投票券発券部４９に記念投票券を作成させ（Ｓ２１２）、排出口から払戻金および記念投票券を放出し（Ｓ２１３）、記念投票券を放出したこと、および放出された場所等を在席端末装置９に通知する。在席端末装置９では、ＣＰＵ１７４が、会員カードに払戻金に相当するポイントのデータを付与し（Ｓ２１４）、処理を終了する。利用者は、投票券発売装置７から通知された場所で記念投票券を受け取る。
【００６２】
以上説明したように、第３の実施の形態による投票システムによれば、在席端末装置９において記念投票券発行要求有無を選択させることにより、投票券７０を作成しないで投票を行なう在席端末装置９においても、記念投票券を作成することが可能である。このとき、在席端末装置９が投票の的中を検知した場合に記念投票券作成の要求を行うことにより、記念投票券の作成を、的中情報の投票を行った在席端末装置９からの要求に対してのみ行うように限定することができる。
【００６３】
さらに、在席端末装置９における記念投票券の発券要求をするか否かの選択画面は、第３の実施の形態においては、ある会員カードにより在席端末装置９で行われた投票が的中したことを条件として表示するようにしたが、これに限定されず、他の条件により表示を制御するようにしてもよい。
【００６４】
例えば、在席端末装置９が利用されている間、常時、選択画面を表示する、一定以上の払戻金額時に、選択画面を表示するなど他の制御でもよい。例えば、常時選択画面を表示させる際には、在席端末装置９を利用する資格を有しているか否かが、記念投票券の発券を許可するための許可情報となる。なお、記念投票券の発券が許可される上記のような各許可情報に応じて、異なる形態の記念投票券を発券するようにしてもよい。
【００６５】
以上のように、記念投票券発券を許可する許可情報の条件を設け、場合によっては許可情報によって記念投票券の形態を異なるものにすることにより、記念投票券の価値をより高くする効果が得られ、利用者に対するサービスの質を向上させることができる。記念投票券を発券させる条件となる許可情報は、在席端末装置９を利用するための識別情報が取得されることや、的中した投票を実際に行っている履歴が確認できること、払戻額が所定額以上であること、倍率が所定倍率以上であることなど変形が可能である。
【００６６】
上記第１から第３の実施の形態において、タッチパネル４１は、本発明の第２の投票内容取得部、要求入力部の一例であり、投票カード読取部４５は、本発明の第２の投票内容取得部の一例であり、ＣＰＵ２５および通信処理装置３１は、投票実行部の一例である。投票券読取部５１は第１の投票内容取得部、要求読取部、要求入力部の一例であり、投票券発券部４９は、発券部の一例である。
【００６７】
なお、本発明は、以上に述べた実施の形態に限定されるものではなく、本発明の要旨を逸脱しない範囲内で種々の構成または実施形態を採ることができる。例えば、上記第１から第３の実施の形態においては、例えば競馬、競輪など競技に対する投票を例にして説明したが、投票の対象は競技に限定されず、他の事象に対する合法の投票を含む。
【００６８】
投票券７０の偽造・変造防止対策として、記念投票券については、バーコードや管理番号の印刷は行わないことにし、各投票券発売装置７に挿入した場合、無効として返却するようにすることが好ましい。また、投票券発券部４９に、投票券用紙を２巻装填したり、異なる２種類の投票券７０を任意に発行できるように、例えば、投票券発券部４９を２つ設けるような構成としたりしてもよい。この場合、投票券７０の印刷機構のメイン側に通常券、サブ側に記念投票券印刷専用地紋の投票券７０を使用するといった変形も可能である。
【００６９】
在席端末装置９による記念投票券発券については、サービス料を会員カードに対するポイント付与時に精算する例について説明したが、専用のプリペイドカードや、クレジットカード決済その他の方法で精算するようにしてもよい。
【００７０】
在席端末装置９の変形として、開催場５や場外投票券発売場１１以外の個別の端末装置によるインターネット投票装置１５において、例えば会員番号を取得していること等を条件として記念投票券の発券を行うようにすることもできる。このとき、記念投票券は、作成したものを郵送などにより発送するようにしてもよいし、印刷用のデータとして端末に送信するようにしてもよい。
【符号の説明】
【００７１】
１      投票システム
３      管理装置
５      開催場
７      投票券発売装置
９      在席端末装置
１１      場外投票券発売場
１３      電話
１５      インターネット投票装置
２３      制御部
２５      ＣＰＵ
２７      ＲＡＭ
２９      ＲＯＭ
３１      通信処理装置
３３      画像処理部
３５      入出力装置
３７      ディスプレイ
３９      管理者側ディスプレイ
４１      タッチパネル
４３      管理者側タッチパネル
４５      投票カード読取部
４７      投票カード回収部
４９      投票券発券部
５１      投票券読取部
５３      投票券回収部
５５      電源部
５７      紙幣還流部
５９      硬貨還流部
６３      可搬型記録媒体
【図１】
0005587242.tif 000002
【図２】
0005587242.tif 000003
【図３】
0005587242.tif 000004
【図４】
0005587242.tif 000005
【図５】
0005587242.tif 000006
【図６】
0005587242.tif 000007
【図７】
0005587242.tif 000008